(57)【特許請求の範囲】
【請求項１】
光源と、
上記光源の発する光を用いて光像を形成し、投影対象に向けて投射する投影部と、
上記投影部での投射を、輝度を抑えたミュート状態とさせる第１の投影制御手段と、
上記第１の投影制御手段により上記投影部での上記ミュート状態の時間が予め設定した時間となったか否かを判断する判断手段と、
上記判断手段での判断結果に応じて第１の投影制御手段による上記ミュート状態を解除させる第２の投影制御手段と
を具備し、
上記第２の投影制御手段は、第１の投影制御手段による上記ミュート状態を解除させる際に、上記投影部で投射する光像の輝度を、所定時間毎に増減させることを特徴とする投影装置。
【請求項２】
上記判断手段での判断基準となる、第１の投影制御手段により上記投影部で上記ミュート状態の時間を任意の時間値から可変設定する設定手段をさらに具備したことを特徴とする請求項１記載の投影装置。
【請求項３】
上記第２の投影制御手段は、第１の投影制御手段による上記ミュート状態を解除した後、上記投影部で投射する光像の輝度を、時間差を設けて規定のレベルまで上げることを特徴とする請求項１または２記載の投影装置。
【請求項４】
画像情報を記憶する記憶手段をさらに具備し、
上記第２の投影制御手段は、第１の投影制御手段による上記ミュート状態を解除した後、画像情報を上記記憶手段から読出し、読出した画像情報に基づいた光像を上記投影部で一定時間投射させる
ことを特徴とする請求項１〜３の何れか記載の投影装置。
【請求項５】
光源の発する光を用いて光像を形成し、投影対象に向けて投射する投影部を備えた装置が内蔵するコンピュータが実行するプログラムであって、
上記コンピュータを、
上記投影部での投射を、輝度を抑えたミュート状態とする第１の投影制御手段、
上記第１の投影制御手段により上記投影部で上記ミュート状態の時間が予め設定した時間となったか否かを判断する判断手段、及び
上記判断手段での判断結果に応じて第１の投影制御手段による上記ミュート状態を解除させる第２の投影制御手段
として機能させ、
上記第２の投影制御手段は、第１の投影制御手段による上記ミュート状態を解除させる際に、上記投影部で投射する光像の輝度を、所定時間毎に増減させることを特徴とするプログラム。
【請求項６】
上記第１の投影制御手段は、上記光源を消灯することにより上記ミュート状態とすることを特徴とする請求項１〜４の何れか記載の投影装置。
【請求項７】
上記ミュート状態で上記光源を冷却する能力を下げることを特徴とする請求項１〜４の何れか記載の投影装置。
【発明の詳細な説明】
【技術分野】
【０００１】
本発明は、半導体光源素子を用いたプロジェクタ等に好適な投影装置、投影方法及びプログラムに関する。
【背景技術】
【０００２】
画像ミュートまたはＡ／Ｖミュート機能の効果をより高めるプロジェクタを提供するべく、表示画面を非表示にするかまたは予め定めた所定の表示に設定する画像ミュートを実行する一方で、その画像ミュートの設定、及び設定の解除に対応して光源となるランプの出力輝度を調整するようにした技術が記載されている。（例えば、特許文献１）
【先行技術文献】
【特許文献】
【０００３】
【特許文献１】特開２００３−２８００８７号公報
【発明の概要】
【発明が解決しようとする課題】
【０００４】
上記特許文献に記載された技術では、ミュート状態を解除するためになんらかのキー操作が必要となる。そのため、ユーザが例えばプロジェクタを用いたプレゼンテーションを行なっている途中で、プロジェクタのそばを一時的に離れたい場合でも、ミュート状態の解除のためにはプロジェクタ装置の操作が可能な範囲に戻らなくてはならない、という不具合がある。
【０００５】
本発明は上記のような実情に鑑みてなされたもので、その目的とするところは、ユーザにとっての使い勝手をより向上させることが可能な投影装置及びプログラムを提供することにある。
【課題を解決するための手段】
【０００６】
本発明の一態様は、投影装置であって、光源と、上記光源の発する光を用いて光像を形成し、投影対象に向けて投射する投影部と、上記投影部での投射を、輝度を抑えたミュート状態とさせる第１の投影制御手段と、上記第１の投影制御手段により上記投影部での上記ミュート状態の時間が予め設定した時間となったか否かを判断する判断手段と、上記判断手段での判断結果に応じて第１の投影制御手段による上記ミュート状態を解除させる第２の投影制御手段とを具備し、上記第２の投影制御手段は、第１の投影制御手段による上記ミュート状態を解除させる際に、上記投影部で投射する光像の輝度を、所定時間毎に増減させることを特徴とする。
【発明の効果】
【０００７】
本発明によれば、ユーザにとっての使い勝手をより向上させることが可能となる。
【図面の簡単な説明】
【０００８】
【図１】本発明の一実施形態に係るデータプロジェクタ装置の電子回路の機能構成を説明する図。
【図２】同実施形態に係るポイントペンの電子回路の機能構成を説明する図。
【図３】同実施形態に係る電源オン後の初期設定を含む投影処理の内容を示すフローチャート。
【図４】同実施形態に係る再点灯時に投影するロゴ画像を例示する図。
【図５】同実施形態に係る再点灯時の輝度制御の内容を示す図。
【発明を実施するための形態】
【０００９】
以下本発明をＤＬＰ（登録商標）方式のデータプロジェクタ装置に適用した場合の一実施形態について図面を参照して説明する。  
図１は本実施形態に係るデータプロジェクタ装置１０の概略機能構成を示すブロック図である。同図中、符号１１は入力部である。この入力部１１は、例えばピンジャック（ＲＣＡ）タイプのビデオ入力端子、Ｄ−ｓｕｂ１５タイプのＲＧＢ入力端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格の画像／音声入力端子、及びＵＳＢ（Ｕｎｉｖｅｒｓａｌ  Ｓｅｒｉａｌ  Ｂｕｓ）コネクタを有し、これらのいずれかの端子を介して有線接続される外部機器から、画像信号及び音声信号を入力する。
【００１０】
入力部１１から入力された各種規格の画像信号は、システムバスＳＢを介し、一般にスケーラとも称される画像変換部１２に入力される。
【００１１】
画像変換部１２は、入力される画像信号を投影に適した所定のフォーマットの画像信号に統一し、内蔵する表示用のバッファメモリに適宜書込んだ後に、書込んだ画像信号を読出して投影画像駆動部１３へ送る。
【００１２】
この際、ＯＳＤ（Ｏｎ  Ｓｃｒｅｅｎ  Ｄｉｓｐｌａｙ）用の各種動作状態を示すシンボル等のデータも必要に応じて画像変換部１２内のバッファメモリで画像信号に重畳加工し、加工後の画像信号を読出して投影画像駆動部１３へ送る。
【００１３】
投影画像駆動部１３は、送られてきた画像信号に応じて、所定のフォーマットに従ったフレームレート、例えば６０［フレーム／秒］と色成分の分割数、及び表示階調数を乗算した、より高速な時分割駆動により、マイクロミラー素子１４を表示駆動する。
【００１４】
このマイクロミラー素子１４は、アレイ状に配列された複数、例えばＷＸＧＡ（横１２８０画素×縦７６８画素）個の微小ミラーの各傾斜角度を個々に高速でオン／オフ動作して表示動作することで、その反射光により光像を形成する。
【００１５】
このときマイクロミラー素子１４で表示する画像には、肉眼では不可視であるが本来の画像に対して画素領域毎に位置座標情報が階調表現上でＰＷＭ変調して重畳されている。
【００１６】
一方で、光源部１５から時分割でＲ，Ｇ，Ｂの原色光が循環的に出射される。この光源部１５からの原色光が、ミラー１６で全反射して上記マイクロミラー素子１４に照射される。
【００１７】
そして、マイクロミラー素子１４での反射光で光像が形成され、形成された光像が投影レンズ部１７を介して、投影対象となる図示しないスクリーンに投影表示される。
【００１８】
上記光源部１５は、緑色（Ｇ）光を発するＬＤ（以下「Ｇ−ＬＤ」と称する）１８、
赤色（Ｒ）光を発する発光ダイオード（以下「Ｒ−ＬＥＤ」と称する）１９、及び青色（Ｂ）光を発するＬＤ（以下「Ｂ−ＬＤ」と称する）２０を有する。
【００１９】
Ｇ−ＬＤ１８の発する緑色光は、ダイクロイックミラー２１を透過した後に上記ミラー１６へ送られる。
【００２０】
Ｒ−ＬＥＤ１９の発する赤色光は、ダイクロイックミラー２２で反射された後、上記ダイクロイックミラー２１でも反射されて上記ミラー１６へ送られる。
【００２１】
Ｂ−ＬＤ２０の発する青色光は、ミラー２３で反射された後に上記ダイクロイックミラー２２を透過し、その後に上記ダイクロイックミラー２１で反射されて上記ミラー１６へ送られる。  
上記ダイクロイックミラー２１は、緑光を透過する一方で、赤色光及び青色光を反射する。上記ダイクロイックミラー２２は、赤色光を反射する一方で、青色光を透過する。
【００２２】
上記Ｇ−ＬＤ１８、Ｒ−ＬＥＤ１９、及びＢ−ＬＤ２０を冷却するべく冷却ファン２４が設けられる。この冷却ファン２４は、ファンモータ（Ｍ）２５により回転し、発生した冷却風を上記光源の素子１８〜２０に当てて熱交換させ、熱せられた空気をデータプロジェクタ装置１０外部に排出させる。
【００２３】
しかして上記光源部１５のＧ−ＬＤ１８、Ｒ−ＬＥＤ１９、及びＢ−ＬＤ２０の各発光タイミングや駆動信号の波形等を投影光駆動部２６が統括して制御する。投影光駆動部２６は、上記投影画像駆動部１３から与えられる画像信号に同期したタイミング信号と、後述するＣＰＵ２７の制御に応じて上記Ｇ−ＬＤ１８、Ｒ−ＬＥＤ１９、及びＢ−ＬＤ２０の発光動作を制御する他、ファンモータ２５の回転により冷却ファン２４で発生される冷却風の強度を制御する。
【００２４】
上記各回路の動作すべてをＣＰＵ２７が制御する。このＣＰＵ２７は、メインメモリ２８及びプログラムメモリ２９と直接接続される。メインメモリ２８は、例えばＳＲＡＭで構成され、ＣＰＵ２７のワークメモリとして機能する。プログラムメモリ２９は、電気的書換可能な不揮発性メモリ、例えばフラッシュＲＯＭで構成され、ＣＰＵ２７が実行する動作プログラムや後述するロゴ画像データを含む各種定型データ等を記憶する。  
ＣＰＵ２７は、上記プログラムメモリ２９に記憶されている動作プログラムや定型データ等を読出し、メインメモリ２８に展開して記憶させた上で、当該プログラムを実行することにより、このデータプロジェクタ装置１０を統括して制御する。
【００２５】
上記ＣＰＵ２７は、操作部３０からのキー操作信号に応じて各種投影動作を実行する。  
この操作部３０は、このデータプロジェクタ装置１０専用の図示しないリモートコントローラからの赤外線変調信号を受信するリモコン受光部と、データプロジェクタ装置１０の例えば筐体上面に設けられるキー入力部を含む。
【００２６】
上記専用のリモートコントローラ及びキー入力部にはいずれも、予め設定した内容に基づいて投影を一時的に停止する「一時消灯」キーを含む。操作部３０は、ユーザがデータプロジェクタ装置１０専用のリモートコントローラあるいは本体のキー入力部で操作したキーに基づくキー操作信号をＣＰＵ２７へ出力する。
【００２７】
上記ＣＰＵ２７はさらに、上記システムバスＳＢを介して音声処理部３１、ポインタ通信部３２と接続される。  
音声処理部３１は、ＰＣＭ音源等の音源回路を備え、投影動作時に与えられる音声信号をアナログ化し、スピーカ部３３を駆動して放音させ、あるいは必要によりビープ音等を発生させる。
【００２８】
ポインタ通信部３２は、アンテナ３４を介して、後述するペン型ポインタ４０と無線接続し、ペン型ポインタ４０から送られてくる座標情報やペン型ポインタ４０に与えられた外力に応じた検知信号、及びペン型ポインタ４０に備えられる各種キーの操作信号等を受信して上記ＣＰＵ２７へ送出する。
【００２９】
次に図２により上記データプロジェクタ装置１０専用のペン型ポインタ４０の概略機能構成を説明する。  
同図で４１は受光レンズ部である。画像が投影されるスクリーンにこの受光レンズ部４１を対向させた場合、そのスクリーン上のスポット位置における光の明滅が受光レンズ部４１で捉えられ、受光センサ４２上で結像される。受光センサ４２の出力する受光信号は受光復調部４３に送られる。
【００３０】
受光復調部４３は、送られてきた受光信号をデジタル化した後に復調することで、受光レンズ部４１が対向していたスクリーン上の投影画像内における２次元の位置座標を取得し、取得した位置座標データを、システムバスＳＢ２を介してＣＰＵ４４へ送出する。
【００３１】
このＣＰＵ４４は、メインメモリ４５及びプログラムメモリ４６と直接接続される。メインメモリ４５は、例えばＳＲＡＭで構成され、ＣＰＵ４４のワークメモリとして機能する。プログラムメモリ４６は、電気的に書換可能な不揮発性メモリで構成され、ＣＰＵ４４が実行する動作プログラムや各種定型データ等を記憶する。ＣＰＵ４４は、上記メインメモリ４５及びプログラムメモリ４６を用いて、このペン型ポインタ４０内の制御動作を実行する。
【００３２】
上記ＣＰＵ４４は、キー操作部４７からのキー操作信号に応じて各種ポイント動作を実行する。  
このキー操作部４７は、例えばこのペン型ポインタ４０の電源キー、クリック操作に使用するクリックキー、動作メニュー選択時にメニュー項目を選択するための番号キー等を含み、それらのキー操作に基づくキー操作信号をＣＰＵ４４へ直接出力する。
【００３３】
上記ＣＰＵ４４はさらに、上記システムバスＳＢ２を介してジャイロセンサ４８、３軸加速度センサ４９、及びプロジェクタ通信部５０とも接続される。  
ジャイロセンサ４８は、例えば振動型のジャイロセンサで構成され、振動片に加わるコリオリの力から角速度を検出して、このペン型ポインタ４０がユーザに操作された場合の角度を検知する。
【００３４】
３軸加速度センサ４９は、３次元空間内に働く、重力加速度を含む加速度を検知するもので、検知した加速度を積分することでペン型ポインタ４０の移動速度を、その移動速度を積分することで移動距離を求めることができる。
【００３５】
したがって、ジャイロセンサ４８と３軸加速度センサ４９の検知出力を用いることで、ＣＰＵ４４はペン型ポインタ４０がユーザによってどのような方向にどの程度の大きさで操作されたのかを検知することができる。
【００３６】
プロジェクタ通信部５０は、アンテナ５１を介して上記データプロジェクタ装置１０側と無線接続し、投影画像の位置座標データや上記ジャイロセンサ４８、３軸加速度センサ４９で検知した検知データ等をデータプロジェクタ装置１０に送信する。
【００３７】
次に上記実施形態の動作について説明する。  
なお、以下に示す動作はプレゼンテーション画像の投影動作時にデータプロジェクタ装置１０内でＣＰＵ２７の制御に基づいて実行するものである。ＣＰＵ２７はプログラムメモリ２９に記憶されている動作プログラムやデータを読出し、メインメモリ２８に展開して記憶させた上で該動作プログラムを実行する。
【００３８】
図３は、一時的に投影動作を停止するため、ユーザが操作部３０の「一時消灯」キーを操作した場合の処理内容を示す。なお、上記「一時消灯」キーの操作に先立って、消灯時間、再点灯時の立上げ時間及び立上げ方法がそれぞれ予め複数用意された候補からユーザによって選択され、それらの情報がプログラムメモリ２９に記憶されているものとする。
【００３９】
図３の処理当初にＣＰＵ２７は、プログラムメモリ２９から予め設定されている消灯時間の情報を読出す（ステップＳ１０１）。
【００４０】
次いでＣＰＵ２７は、プログラムメモリ２９から再点灯時の設定情報として、立上げ時間及び立上げ方法の各情報を読出す（ステップＳ１０２）。
【００４１】
ＣＰＵ２７は「一時消灯」キーの操作に対応し、投影光駆動部２６によりＧ−ＬＤ１８、Ｒ−ＬＥＤ１９、及びＢ−ＬＤ２０の駆動を停止して消灯させるとともに、ファンモータ２５への通電を断って冷却ファン２４による上記光源の素子１８〜２０の冷却を一旦停止させる（ステップＳ１０３）。
【００４２】
この消灯期間においては、データプロジェクタ装置１０としての消費電力の多くを占める光源の発光素子１８〜２０、及びそれらを冷却するためのファンモータ２５の各駆動を共に停止できるため、電力消費と騒音の発生をそれぞれ最小限に抑えることができる。
【００４３】
ＣＰＵ２７はメインメモリ２８内に設定するタイマに対し、上記ステップＳ１０１で読出した消灯時間をセットしてダウンカウントによる計時動作を開始させる（ステップＳ１０４）。
【００４４】
その後、ＣＰＵ２７は上記タイマによりダウンカウントした後（ステップＳ１０５）、該タイマの値が「０（ゼロ）」となったか否かによりタイムアップしたか否かを判断する（ステップＳ１０６）。
【００４５】
ここでまだタイマの値が「０（ゼロ）」となっておらず、タイムアップしていないと判断すると、続けて操作部３０またはペン型ポインタ４０側のキー操作部４７によりユーザによるなんらかのキー操作があったか否かを判断する（ステップＳ１０７）。
【００４６】
ここでユーザによるキー操作もないと判断すると、再び上記ステップＳ１０５からの処理に戻り、以後、タイムアップとなるか、またはユーザによりキー操作がなされるのを待機する。
【００４７】
しかして、上記ステップＳ１０６でタイムアップしたと判断した場合、または上記ステップＳ１０７でユーザによるキー操作があったと判断した場合、ＣＰＵ２７は上記ステップＳ１０２で読出した再点灯時の設定情報、すなわち立上げ時間及び立上げ方法の各情報に基づいて投影光駆動部２６によりＧ−ＬＤ１８、Ｒ−ＬＥＤ１９、及びＢ−ＬＤ２０の駆動を再開して点灯させるとともに、ファンモータ２５へ通電して冷却ファン２４による上記光源の素子１８〜２０の冷却を再開させる（ステップＳ１０８）。
【００４８】
図４は、この再点灯時に一定時間だけ投影するロゴ画像を例示するものである。このロゴ画像のイメージデータは、予めプログラムメモリ２９に記憶されており、再点灯時にロゴ画像の投影を行なう設定がなされている場合にＣＰＵ２７によりプログラムメモリ２９から読出される。
【００４９】
図５は、立上げ方法の内容をいくつか例示する。図５（Ａ）は、タイムアップとなるか、またはユーザによりキー操作がなされたタイミングｔ１で、即時Ｇ−ＬＤ１８、Ｒ−ＬＥＤ１９、及びＢ−ＬＤ２０をそれぞれ定格の輝度で発光させる場合の輝度特性を示している。
【００５０】
Ｇ−ＬＤ１８、Ｒ−ＬＥＤ１９、及びＢ−ＬＤ２０はいずれも半導体発光素子であり、高圧水銀ランプのような放電ランプではなしえなかった、即時定格輝度での発光が可能であるため、このような再点灯の方法が実現できる。
【００５１】
上記図４に示したようなロゴ画像の投影時間を必要に応じて予め設定しておくことで、プレゼンテーションを円滑に進行させることができる。
【００５２】
図５（Ｂ）は、タイムアップとなるか、またはユーザによりキー操作がなされたタイミングｔ１から、定格の輝度となるタイミングｔ２までを複数段階、ここでは例えば３段階に分けて順次輝度を上げる場合の輝度特性を示している。上記タイミングｔ１からタイミングｔ２に至るまでの時間Ｔｕｐにかけてマイクロミラー素子１４で表示する画像の階調を調整し、上記図４に示したようなロゴ画像を投影することで、正確な階調制御が実現できると共に、再点灯によるプレゼンテーションの再開をアピールできる。
【００５３】
さらに図５（Ｃ）は、タイムアップとなるか、またはユーザによりキー操作がなされたタイミングｔ１から、定格の輝度となるタイミングｔ２までを無段階として順次輝度を上げる場合の輝度特性を示している。この場合も、上記タイミングｔ１からタイミングｔ２に至るまでの時間Ｔｕｐにかけてマイクロミラー素子１４で表示する画像の階調を調整し、上記図４に示したようなロゴ画像を投影することで、正確な階調制御が実現できると共に、再点灯によるプレゼンテーションの再開をアピールできる。
【００５４】
このように再点灯時の輝度の上げ方を立上げ方法として、立上げ時間と共に予め設定しておくことで、これも同時に設定しておく消灯時間の経過後に自動的に再点灯し、投影動作を再開することができる。
【００５５】
なお、上記動作では再点灯時に入力部１１から入力される画像信号ではなく、プログラムメモリ２９に記憶させておいたロゴ画像の投影を一定時間行なうものとして説明したが、再点灯時にロゴ画像の投影を行なうことなく、「一時消灯」キーの操作がされた際の画像信号をそのまま投影させるようにしても良く、解除時に入力部１１から入力される画像信号に応じた画像を投影するものとしても良い。
【００５６】
以上詳述した如く本実施形態によれば、省エネルギーの制御を実現できるとともに、プレゼンテーションを行うユーザが、話に集中させたい時間を自己管理してプレゼンテーションを行うことのできるプレゼンタイマ的な機能も実現でき、ユーザにとっての使い勝手をより向上させることが可能となる。
【００５７】
また上記実施形態では、事前の設定により消灯時間を任意に可変できるものとしたので、プレゼンテーションの内容によりユーザの都合に合わせた一時的な消灯動作が実現できる。
【００５８】
さらに上記実施形態では、事前の設定により再点灯時に輝度を上げる方法をいくつか選択可能としたので、プレゼンテーションの内容に合わせて効果的な立上げ方法を選択できる。
【００５９】
加えて上記実施形態では、再点灯時には入力部１１から入力される画像信号ではなく、プログラムメモリ２９に記憶させておいたロゴ画像を専用の画像として一定時間投影するものとしたので、アイキャッチ的な効果によりメリハリを付けてプレゼンテーション全体の訴求力を増すことができる。
【００６０】
上記実施形態では、「一時消灯」を解除させる際に、単調に輝度を増加させて表示を再開させる例を示したが、「一時消灯」させてから、予め設定した時間（例えば５分）に対してより短い時間間隔（例えば、１分）毎に、ある時間（例えば、１秒）だけ定格の輝度となるように輝度を増減させる制御させて、表示を再開させるようにしてもよい。
【００６１】
そのようにすれば、プレゼンテーションを行うユーザが、より正確なプレゼンタイマとして利用することもできる。
【００６２】
また、上記実施形態では、ユーザによるタイマ時間等の選択は、操作部３０の操作により選択されると説明したが、ペン型ポインタ４０側のキー操作部４７による操作や、ペン型ポインタ４０によるジェスチャによって選択できるようにしてもよい。（例えば、１回振って「一時消灯」させた場合は、時間の短い設定、２回振って「一時消灯」させた場合は、時間の長い設定、等。）
なお上記実施形態では、「一時消灯」解除時の専用の画像の例として、１つのロゴ画像を表示させるようにしたが、専用画面を複数設けておいて、事前の設定によりその複数の画像を切り換えて表示させるようにしてもよい。
【００６３】
その場合、輝度変化だけでなく、色合い等を変化させる等の効果を加えることができる。
【００６４】
また上記実施形態では、一時消灯期間に冷却を停止させるようにしたが、温度の変化の遅延等を考慮して、停止させるのではなく、冷却を弱めるようにしてもよい。
【００６５】
なお、上記実施形態では光源部１５の発光素子としてＬＤ、ＬＥＤ等の半導体発光素子を用いるものとしたので、消灯期間中はそれら半導体発光素子１８〜２０事態の駆動を停止して消灯させるものとして説明したが、高圧水銀ランプ等の放電ランプを光源として用いる装置に関しては、その駆動を停止すると次に再点灯することが困難となる場合もあるため、ランプの点灯状態は維持したままで、表示素子であるマイクロミラー素子１４により画像が輝度を抑えた画像（ミュート画像）となるように、光源からの光を投影レンズ部１７に入射させないあるいは輝度を抑えるような階調制御を行なうことにより、同様の処理が実現可能となる。
【００６６】
つまり、上記実施形態では「一時消灯」操作として説明したが、輝度を抑えた「画像ミュート」操作であっても同様の効果が得られる。
【００６７】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００６８】
以下に、本願出願の当所の特許請求の範囲に記載された発明を付記する。  
請求項１記載の発明は、光源と、上記光源の発する光を用いて光像を形成し、投影対象に向けて投射する投影部と、上記投影部で投射する光像を、輝度を抑えたミュート画像とさせる第１の投影制御手段と、上記第１の投影制御手段により上記投影部で上記ミュート画像の光像が投射される時間が予め設定した時間となったか否かを判断する判断手段と、上記判断手段での判断結果に応じて第１の投影制御手段による上記ミュート画像の光像の投射を解除させる第２の投影制御手段とを具備したことを特徴とする。
【００６９】
請求項２記載の発明は、上記請求項１記載の発明において、上記判断手段での判断基準となる、第１の投影制御手段により上記投影部で上記ミュート画像の光像を投射させる時間を任意の時間値から可変設定する設定手段をさらに具備したことを特徴とする。
【００７０】
請求項３記載の発明は、上記請求項１または２記載の発明において、上記第２の投影制御手段は、第１の投影制御手段による上記ミュート画像の光像の投射を解除した後、上記投影部で投射する光像の輝度を、時間差を設けて規定のレベルまで上げることを特徴とする。
【００７１】
請求項４記載の発明は、上記請求項１〜３の何れか記載の発明において、上記第２の投影制御手段は、第１の投影制御手段による上記ミュート画像の光像の投射を解除させる際に、上記投影部で投射する光像の輝度を、所定時間毎に増減させることを特徴とする。
【００７２】
請求項５記載の発明は、上記請求項１〜４の何れか記載の発明において、画像情報を記憶する記憶手段をさらに具備し、上記第２の投影制御手段は、第１の投影制御手段による黒色の光像の投射を解除した後、画像情報を上記記憶手段から読出し、読出した画像情報に基づいた光像を上記投影部で一定時間投射させることを特徴とする。
【００７３】
請求項６記載の発明は、光源の発する光を用いて光像を形成し、投影対象に向けて投射する投影部を備えた装置が内蔵するコンピュータが実行するプログラムであって、上記コンピュータを、上記投影部で投射する光像を、輝度を抑えたミュート画像とさせる第１の投影制御手段、上記第１の投影制御手段により上記投影部で上記ミュート画像の光像が投射される時間が予め設定した時間となったか否かを判断する判断手段、及び上記判断手段での判断結果に応じて第１の投影制御手段による上記ミュート画像の光像の投射を解除させる第２の投影制御手段として機能させることを特徴とする。
【符号の説明】
【００７４】
１０…データプロジェクタ装置、１１…入力部、１２…画像変換部、１３…投影画像駆動部、１４…マイクロミラー素子、１５…光源部、１６…ミラー、１７…投影レンズ部、１８…緑色光レーザダイオード（Ｇ−ＬＤ）、１９…赤色光発光ダイオード（Ｒ−ＬＥＤ）、２０…青色光レーザダイオード（Ｂ−ＬＤ）、２１，２２…ダイクロイックミラー、２３…ミラー、２４…冷却ファン、２５…ファンモータ（Ｍ）、２６…投影光駆動部、２７…ＣＰＵ、２８…メインメモリ、２９…プログラムメモリ、３０…操作部、３１…音声処理部、３２…ポインタ通信部、３３…スピーカ部、３４…アンテナ、４０…ペン型ポインタ、４１…受光レンズ部、４２…受光センサ、４３…受光復調部、４４…ＣＰＵ、４５…メインメモリ、４６…プログラムメモリ、４７…キー操作部、４８…ジャイロセンサ、４９…３軸加速度センサ、５０…プロジェクタ通信部、５１…アンテナ、ＳＢ，ＳＢ２…システムバス。
【図１】
0005849482.tif 000002
【図２】
0005849482.tif 000003
【図３】
0005849482.tif 000004
【図４】
0005849482.tif 000005
【図５】
0005849482.tif 000006